(57)【要約】【課題】混雑した電車内等の狭いスペースでも、事前の折り畳み等をすることなく広げて読むことができ、ページをめくることが容易である新聞を製作する印刷物製作方法及び装置を提供する。【解決手段】幅方向に４面が両面印刷された２つのウェブＷ１、Ｗ２に第１糊付部２で糊付けし固着する第１糊付工程Ｓ１００と、固着されたウェブを第１折部３で縦折する第１折工程Ｓ１１０と、縦折されたウェブに第２糊付部４で糊付けし固着する第２糊付工程Ｓ１２０と、縦折及び固着されたウェブを裁断折部５で印刷物の縦の長さに裁断し、横折する裁断折工程Ｓ１３０と、裁断されたウェブを枚葉紙折部６で縦折する枚葉紙折工程Ｓ１４０と、折り重ねられたウェブの縦側両端を切断部７で切り落とす切断工程Ｓ１５０と、を経て、通常の新聞の略半分の幅で背が固着された８ページの新聞を同時に２部製作する。【選択図】図１
2014227274.tif 000002
【特許請求の範囲】
【請求項１】
両面に印刷がされた２つのウェブから印刷物を製作する印刷物製作装置による印刷物製作方法であって、
印刷画面の縦方向とウェブの給紙方向が平行になるようにウェブの幅方向に横一列に４面を並べて表裏両面に印刷された２つのウェブのうち１つのウェブの片面に、ウェブの幅方向の両端縁からウェブの幅の略４分の１内側に入った２箇所の部位のそれぞれに、ウェブの給紙方向と平行に２条の細線糊を間隔を空けて２本ずつ、合計４条の細線糊を設け、前記２つのウェブを重ね合わせて固着する第１糊付工程と、
前記固着される２つのウェブを、ウェブの幅方向の中心線を境目としてウェブの給紙方向と平行な折り目で幅が半分になるように２つ折りにする第１折工程と、
該第１折工程により４つ重ねにされるウェブのうち２つ目又は３つ目のウェブの、前記第１糊付工程により設けられた２条の細線糊の真裏にあたる位置にウェブの給紙方向と平行に２条の細線糊を間隔を空けて設け、ウェブを固着する第２糊付工程と、
該第２糊付工程により固着される４つ重ねのウェブを前記印刷画面の縦方向の長さに裁断し、該印刷画面の縦方向の中心線を境目としてウェブの給紙方向と垂直な折り目で印刷画面の縦の長さが半分になるように２つ折りにする裁断折工程と、
該裁断折工程によって裁断され８つ重ねにされるウェブを、幅方向の中心線を境目としてウェブの給紙方向と平行な折り目で２つ折りにする枚葉紙折工程と、
該枚葉紙折工程により折られるウェブの両端部を前記印刷画面の縦方向に切り落とす切断工程と、を含み、
これらの工程により８面を有する印刷物が縦に２つ折りにされた状態で同時に２つ製作されることを特徴とする、印刷物製作装置による印刷物製作方法。
【請求項２】
両面に印刷がされた２つのウェブから印刷物を製作する印刷物製作装置であって、
印刷画面の縦方向とウェブの給紙方向が平行になるようにウェブの幅方向に横一列に４面を並べて表裏両面に印刷された２つのウェブのうち１つのウェブの片面に、ウェブの幅方向の両端縁からウェブの幅の略４分の１内側に入った２箇所の部位のそれぞれに、ウェブの給紙方向と平行に２条の細線糊を間隔を空けて２本ずつ、合計４条の細線糊を設け、前記２つのウェブを重ね合わせて固着する第１糊付部と、
前記固着される２つのウェブを、ウェブの幅方向の中心線を境目としてウェブの給紙方向と平行な折り目で幅が半分になるように２つ折りにする第１折部と、
該第１折部により４つ重ねにされるウェブのうち２つ目又は３つ目のウェブの、前記第１糊付部により設けられた２条の細線糊の真裏にあたる位置にウェブの給紙方向と平行に２条の細線糊を間隔を空けて設け、ウェブを固着する第２糊付部と、
該第２糊付工程により固着される４つ重ねのウェブを前記印刷画面の縦方向の長さに裁断し、該印刷画面の縦方向の中心線を境目としてウェブの給紙方向と垂直な折り目で印刷画面の縦の長さが半分になるように２つ折りにする裁断折部と、
該裁断折部によって裁断され８つ重ねにされるウェブを、幅方向の中心線を境目としてウェブの給紙方向と平行な折り目で２つ折りにする枚葉紙折部と、
該枚葉紙折部により折られるウェブの両端部を前記印刷画面の縦方向に切り落とす切断部と、を備え、
８面を有する印刷物を縦に２つ折りにした状態で同時に２つ製作することを特徴とする印刷物製作装置。
【発明の詳細な説明】
【技術分野】
【０００１】
本発明は、新聞等の印刷物の製作方法及び製作装置に関するものである。
【背景技術】
【０００２】
一般に、新聞の製作には輪転印刷機が広く用いられており、特許文献１において、当業者によく知られたオフセット印刷用の輪転印刷機が示されている。この輪転印刷機では、ロール紙の繰り出し部から印刷装置にウェブが繰り出され、印刷装置内において版胴から転写胴に印刷画線部が転写され、互いに当接した転写胴の間をウェブが通過することによってウェブの両面に印刷がされる。印刷されたウェブは長手方向断裁装置により、ブランケット判紙面２つ分の幅を有する複数の帯状ウェブに裁たれ、これらの帯状ウェブはそれぞれ三角板状のフォーマによってガイドされ、長手方向に折られる。長手方向に折られた帯状ウェブは互いに重ねられ、折り装置に供給される。折り装置において、断裁胴により帯状ウェブが折丁に断裁され、ピン式折ブレード胴によりこれらの折丁が横断方向に折られることによりブランケット判印刷物が形成される。その後、折り装置くわえ胴によりブランケット判印刷物は羽根車に排出され、コンベヤ排紙部に排出される。
【０００３】
上記版胴には複数のブランケット判紙面が縦長に設けられている。このブランケット判紙面を設ける代わりに、１つのブランケット判紙面ごとに２つのタブロイド判紙面を縦長に設けることができ、これによりタブロイド判印刷物の製造も可能となっている。
【先行技術文献】
【特許文献】
【０００４】
【特許文献１】特開２００７−２９６８５０号公報
【発明の開示】
【発明が解決しようとする課題】
【０００５】
しかしながら、これらの輪転印刷機により印刷される新聞はブランケット判（縦５４５ｍｍ×横４０６ｍｍ）またはタブロイド判（縦４０６ｍｍ×横２７３ｍｍ）のみであり、混雑した電車内等の狭いスペースでは広げて読むことが困難であるという問題があった。
【０００６】
このような狭いスペースで新聞を読むために、小さく新聞を折り畳んでおく方法が多く採られている。しかし、事前に折り畳んでおく必要がある上に、折り畳み方によっては満員電車等の非常に限られたスペースしかない場合にページをめくることが困難であったり、ページがずれ落ちたりするという問題がある。また、新聞を半分ないし４分の１に折り畳んで読むため、新聞編集者の意図したレイアウトが生かされないという問題もあった。
【０００７】
そこで、本発明は、混雑した電車内等の狭いスペースであっても、事前の折り畳み等の特段の工夫をすることなく広げて読むことができ、ページをめくることが容易である新聞を製作する印刷物製作方法及び装置を提供することを目的とする。
【課題を解決するための手段】
【０００８】
請求項１に記載の印刷物製作方法は、両面に印刷がされた２つのウェブから印刷物を製作する印刷物製作装置による印刷物製作方法であって、印刷画面の縦方向とウェブの給紙方向が平行になるようにウェブの幅方向に横一列に４面を並べて表裏両面に印刷された２つのウェブのうち１つのウェブの片面に、ウェブの幅方向の両端縁からウェブの幅の略４分の１内側に入った２箇所の部位のそれぞれに、ウェブの給紙方向と平行に２条の細線糊を間隔を空けて２本ずつ、合計４条の細線糊を設け、前記２つのウェブを重ね合わせて固着する第１糊付工程と、前記固着される２つのウェブを、ウェブの幅方向の中心線を境目としてウェブの給紙方向と平行な折り目で幅が半分になるように２つ折りにする第１折工程と、該第１折工程により４つ重ねにされるウェブのうち２つ目又は３つ目のウェブの、前記第１糊付工程により設けられた２条の細線糊の真裏にあたる位置にウェブの給紙方向と平行に２条の細線糊を間隔を空けて設け、ウェブを固着する第２糊付工程と、該第２糊付工程により固着される４つ重ねのウェブを前記印刷画面の縦方向の長さに裁断し、該印刷画面の縦方向の中心線を境目としてウェブの給紙方向と垂直な折り目で印刷画面の縦の長さが半分になるように２つ折りにする裁断折工程と、該裁断折工程によって裁断され８つ重ねにされるウェブを、幅方向の中心線を境目としてウェブの給紙方向と平行な折り目で２つ折りにする枚葉紙折工程と、該枚葉紙折工程により折られるウェブの両端部を前記印刷画面の縦方向に切り落とす切断工程と、を含み、これらの工程により８面を有する印刷物が縦に２つ折りにされた状態で同時に２つ製作されることを特徴とする。
【０００９】
請求項２に記載の印刷物製作装置は、両面に印刷がされた２つのウェブから印刷物を製作する印刷物製作装置であって、印刷画面の縦方向とウェブの給紙方向が平行になるようにウェブの幅方向に横一列に４面を並べて表裏両面に印刷された２つのウェブのうち１つのウェブの片面に、ウェブの幅方向の両端縁からウェブの幅の略４分の１内側に入った２箇所の部位のそれぞれに、ウェブの給紙方向と平行に２条の細線糊を間隔を空けて２本ずつ、合計４条の細線糊を設け、前記２つのウェブを重ね合わせて固着する第１糊付部と、前記固着される２つのウェブを、ウェブの幅方向の中心線を境目としてウェブの給紙方向と平行な折り目で幅が半分になるように２つ折りにする第１折部と、該第１折部により４つ重ねにされるウェブのうち２つ目又は３つ目のウェブの、前記第１糊付部により設けられた２条の細線糊の真裏にあたる位置にウェブの給紙方向と平行に２条の細線糊を間隔を空けて設け、ウェブを固着する第２糊付部と、該第２糊付工程により固着される４つ重ねのウェブを前記印刷画面の縦方向の長さに裁断し、該印刷画面の縦方向の中心線を境目としてウェブの給紙方向と垂直な折り目で印刷画面の縦の長さが半分になるように２つ折りにする裁断折部と、該裁断折部によって裁断され８つ重ねにされるウェブを、幅方向の中心線を境目としてウェブの給紙方向と平行な折り目で２つ折りにする枚葉紙折部と、該枚葉紙折部により折られるウェブの両端部を前記印刷画面の縦方向に切り落とす切断部と、を備え、８面を有する印刷物を縦に２つ折りにした状態で同時に２つ製作することを特徴とする。
【発明の効果】
【００１０】
この発明によると、通常の新聞の略半分の幅で、背の部分が糊付けされ、縦方向に２つ折りにされた８ページの新聞が同時に２部製作される。
【００１１】
この新聞は、通常の新聞及びタブロイド判に比べて横幅が狭いため、混雑した電車内等の狭いスペースであってもそのまま広げて読むことができる。加えて、背の部分が糊付けされているため、読んでいる最中にページが脱落せず、かつページを簡単にめくることができる。また、糊でページを綴じているため、廃棄時に分別する必要がなく、綴じ具により怪我をすることもない。さらに、新聞を折らずに読むことができるため、新聞編集者の意図したレイアウトが生かされる。
【００１２】
また、１工程で同時に２部の新聞が製作されるため製作効率も良い。さらに、この工程を行うための印刷物製作装置は構造が簡単であり、かつ通常の新聞印刷に用いられる機械の多くを転用できることから、低コストで装置を設計することができる。印刷機と一体として設計することも可能であるため、印刷と同時に製本が可能であり、製本所等に印刷物を運ぶ必要がなく、運搬時の汚損等のリスクも軽減できる。
【００１３】
加えて、糊付けが１本の太い線状ではなく、間隔を空けた細い２条の線状となっているため、枚葉紙折工程終了時に、細線糊とウェブ端との間に糊付けされていない領域ができる。したがって、切断工程においてウェブの端を切り落とす際、この糊付けされていない領域を切ることができる。これにより、切断工程の刃に糊が付着せず、刃の切断性能の低下を防ぐことができる。    
【図面の簡単な説明】
【００１４】
【図１】本発明の実施例における印刷装置の概略構成図。
【図２】実施例の工程を表した概略図。
【図３】第1ウェブにおける印刷画面の配置を表す概略図。
【図４】第２ウェブにおける印刷画面の配置を表す概略図。
【図５】実施例の第１糊付部による糊付けの態様を表した概略図。
【図６】図２のＣ部において、印刷画面の配置及び裁断折部により裁断、折られる位置を示した概略図。
【図７】図６におけるＤ‐Ｄ断面の概略図。なお、細線糊の厚さを強調し、ウェブの折り目を緩やかに表わしている。
【図８】実施例において裁断折部により裁断、横折されたウェブを表す概略図。
【図９】実施例において枚葉紙折部により縦折にされたウェブを表す概略図。
【図１０】実施例において切断部によるウェブの切り落とし位置を示す概略図。
【図１１】図１０におけるＥ‐Ｅ断面の概略図。なお、細線糊の厚さを強調し、ウェブの折り目を緩やかに表わしている。
【図１２】実施例における工程を表したフローチャート。
【図１３】実施例において製作された新聞とタブロイド判新聞との大きさの比較図。
【発明を実施するための形態】
【００１５】
以下、本発明における印刷物の製作方法及び製作装置を実施するための形態について、図面を参照しながら詳述する。図１において、本発明の実施例における印刷物製作装置１は２つのウェブから同時に２つの印刷物を製作するものであり、第１糊付部２と、第１折部３と、第２糊付部４と、裁断折部５と、枚葉紙折部６と、切断部７とを備えるものである。
【００１６】
ここでウェブとは、印刷に用いられるロール状に巻かれた長帯状の巻取紙を指す。また、図１及び図２の上部において、左手に表示されているウェブを第１ウェブＷ１、右手に表示されているウェブＷを第２ウェブＷ２とし、図１の最上部において、手前側を向く面をそれぞれ第１ウェブの表面Ｗ３、第２ウェブの表面Ｗ５とし、奥側を向く面をそれぞれ第１ウェブの裏面Ｗ４、第２ウェブの裏面Ｗ６とする。これらの図中の矢印は、ウェブの給紙方向を示す。また、ここで印刷物とは、両面に印刷がされた複数枚の紙が任意の位置で糊付けされ綴じられたものを指し、新聞、小冊子等が挙げられる。実施例においては、ウェブＷ１及びＷ２に通常新聞に使用されるＤ巻の紙（紙の幅８１３ｍｍ）を採用し、印刷物とは幅が通常の新聞の略半分である８ページの新聞であって表紙から見て右側の縦辺が糊付され綴じられているものとする。
【００１７】
第１糊付部２及び第２糊付部４は細線糊８、９を設けることができるものであれば良く、糊の塗布、吹きつけ、テープ状糊の貼付等様々な方法を用いることができるが、好ましい例としてグルーガンが挙げられる。また、糊の種類は、一般に印刷物に使用されるものであれば特に限定されない。細線糊８、９の形状は、実線、破線、点線等の様々な形をとることができる。実施例においては、第１糊付部２としてグルーガン２を、第２糊付部４としてグルーガン４を採用する。また、第１糊付部２により設けられた細線糊を細線糊８、第２糊付部４により設けられた細線糊を細線糊９として区別するものとする。
【００１８】
第１折部３は、ウェブＷ１及びＷ２を給紙方向と平行な折り目で２つ折りにできるものであれば良く、例として、新聞輪転印刷機において三角板又はフォーマーと呼ばれる三角板状の部品が挙げられる。実施例においては、第１折部３として三角板３を採用する。
【００１９】
裁断折部５は、ウェブＷ１及びＷ２を一定の長さに裁断し、さらにウェブＷ１及びＷ２を給紙方向と垂直な方向に２つ折にできるものであれば良く、例として新聞用輪転印刷機におけるロータリフォルダ式折機やジョウフォルダ式折機が挙げられる。実施例においては、裁断折部５として折胴１０及び咥え胴１１を備えるジョウフォルダ式の折機５を採用する。
【００２０】
枚葉紙折部６は、一定の長さに裁断されたウェブＷ１及びＷ２を２つ折にすることができるものであれば良く、例として、チョッパブレード及び折ローラーを備えたチョッパ折機が挙げられる。なお、ここで枚葉紙とは一定の長さに裁断されたウェブを指す。実施例においては、枚葉紙折部６としてチョッパブレード１２及び折込ローラー１３を備えるチョッパ折機６を採用する。
【００２１】
切断部７は、折り重なったウェブＷ１及びＷ２の一端を一度に切り落とすことができるものであればよく、例として製本等に用いられるロータリートリマーが挙げられる。実施例においては、切断部７として平行な２本のロータリートリマー７を採用している。
【００２２】
実施例に用いる装置は上記の構成を有しているため、図２及び図１２に示すように、印刷部により印刷がされたウェブＷ１及びＷ２のうち第２ウェブの裏面Ｗ６に、グルーガン２により、幅方向の両端縁から略４分の１内側の部位で第２ウェブＷ２の給紙方向に平行であり所定の間隔を空けた２条の細線糊８が２組塗りつけられ、この細線糊により第1ウェブの表面Ｗ３と第２ウェブの裏面Ｗ６が接着される。この工程を第１糊付工程Ｓ１００とする。続いて、ウェブＷ１及びＷ２は三角板３によりウェブＷ１及びＷ２の幅が半分になるように縦折され（第１折工程Ｓ１１０）、グルーガン４により第１ウェブの裏面Ｗ４に細線糊９が塗りつけられ、ウェブＷが折り目の内側で接着される（第２糊付工程Ｓ１２０）。なお、ここで縦折とは、ウェブＷ１及びＷ２の幅方向の中心線を境目としたウェブの給紙方向に平行な折り目による２つ折を指し、横折とは前記縦折と垂直な方向での２つ折を指す。続いて、折機５により４つ重ねのウェブＷ１及びＷ２は新聞紙面の縦辺の長さに裁断され、新聞紙面の縦辺の中心線を境目として横折される（裁断折工程Ｓ１３０）。その後、ウェブＷ１及びＷ２はチョッパ折機６により幅方向の中心線を境目として縦折され（枚葉紙折工程Ｓ１４０）、ロータリートリマー７により両端が新聞の縦辺と平行に切り落とされる（切断工程Ｓ１５０）。これらの工程を経て、新聞が同時に２部完成する。
【００２３】
図１において、図外の印刷機によって表裏両面に印刷がされた２つのウェブＷ１、Ｗ２が給紙される。ウェブＷ１及びＷ２の印刷画面の配置は図３及び図４に示すとおりである。図３及び図４の各ウェブＷ中に表示した給紙方向に縦長である矩形は印刷画面を表している。また、各印刷画面中の丸で囲った天の字は印刷画面の上方を示し、丸で囲った数字はその印刷画面が完成した新聞Ｎの第何面に当たるかを表している。さらに、各印刷画面に甲、乙、丙及び丁の文字を付しているが、これは、同じ文字を付された８面が束となり１部の新聞を形成するものである。印刷物製作装置１全体による１工程により甲と乙の新聞が同時に製作され、さらに１工程を繰り返すことにより丙と丁の２部の新聞が同時に製作される。ａ、Ａ及びｂ、Ｂはそれぞれ第１ウェブＷ１及び第２ウェブＷ２の合印であり、同一の記号を重ね合わせることで、第１ウェブＷ１及び第２ウェブＷ２の表面と裏面との印刷画面の対応関係を示す。例えば、第１ウェブＷ１において、乙の第６面の裏は乙の第５面であり、これらの面の天地は同じ方向を向いている。また、ｇ１及びｇ２は細線糊８及び９が設けられる位置を、Ｇ１及びＧ２はそれぞれ細線糊８及び９により接着される位置を示す。図中の矢印は、印刷機から三角板３に向かってウェブＷ１及びＷ２が送られる給紙方向を示す。
【００２４】
続いて、第１糊付工程Ｓ１００においてグルーガン２により第２ウェブの裏面Ｗ６に細線糊８が４条塗りつけられ、第１ウェブの表面Ｗ３と第２ウェブの裏面Ｗ６が接着される。図５は第２ウェブの裏面Ｗ６における糊付工程を第２ウェブの裏面Ｗ６側から見た図であり、図中の矢印は第２ウェブＷ２の給紙方向を示す。
【００２５】
ここで、細線糊８が塗りつけられる位置は、図４における４条のｇ１線である。このように、第２ウェブの裏面Ｗ６の幅方向に４面並んだ印刷画面のうち、両端にある印刷画面とその内側にある印刷画面の間にある２箇所の余白に、第２ウェブＷ２の給紙方向と平行に２条ずつ塗りつけられる。細線糊８により、図４のｇ１線と図３のＧ１線が接着され、新聞紙面第２面の左辺と第３面の右辺、第６面の左辺と第７面の右辺がそれぞれ接着される。なお、細線糊８は第１ウェブの表面Ｗ３に塗りつけることも可能である。この場合、細線糊は図３のＧ１線に塗りつけられる。
【００２６】
続いて、第１折工程Ｓ１１０において、三角板３及びローラー１４により第２ウェブの表面Ｗ５が表になるようにウェブＷ１及びＷ２が幅方向の中心線を境目として給紙方向と平行な折り目で折られ、第２糊付工程Ｓ１２０においてグルーガン４により第１ウェブの裏面Ｗ４に細線糊９が２条塗りつけられ第１ウェブの裏面Ｗ４同士が接着される。なお、グルーガン４と三角板３の位置関係については、三角板３による折り目の内側にグルーガンを差し込むような形にしたり、三角板３の裏面や下部にグルーガン４を配設する等、様々な形態をとることができる。また、グルーガン４と三角板３とを一体の構造とすることで第１折工程１１０と第２糊付工程１２０を同時に行うことも可能である。
【００２７】
図６は第２糊付工程Ｓ１２０終了時のウェブＷ１及びＷ２（図２においてＣで示す位置）の状態を示した図である。図６中の矢印はウェブＷ１及びＷ２の給紙方向を示し、「切」及び「山折」の線は、続く裁断折工程Ｓ１３０において折機５により裁断、折られる線を示す。図７は図６におけるＤ−Ｄ線断面図である。図７に示すように、第２糊付工程Ｓ１２０終了時には、ウェブＷ１及びＷ２は４つ重ねになっている。なお、ここでは１つのウェブＷが１つの折り目により２つの領域に分けられているときに、ウェブＷの数を２つと表している。他の段落においても同様の表記とする。
【００２８】
図７に示すように、細線糊９が塗りつけられるのは４つ重ねのウェブＷ１及びＷ２のうち上から２つ目と３つ目のウェブが接する面である。これは第１ウェブの裏面Ｗ４である。図３に示すように、細線糊９はｇ２線に塗り付けられ、ｇ２線とＧ２線が接着される。これにより、新聞紙面第４面の左辺と第５面の右辺が接着される。ｇ２線及びＧ２線はＧ１線の真裏に位置する。なお、細線糊９をＧ２線に塗りつけることも可能である。
【００２９】
その後、裁断折工程Ｓ１３０において、４つ重ねのウェブＷ１及びＷ２は折機５の折胴の針１５で短端を固定され、咥え装置１６及び折胴の折曲羽根１７により新聞紙面の縦方向の中心線を境目として第８面が内側になるように２つ折りにされ、折胴の刃１８により新聞の長さ（５４６ｍｍ）に裁断される。その後、裁断されたウェブＷ１及びＷ２は搬送ベルト１９に排出される。この裁断折工程Ｓ１３０終了時、ウェブＷ１及びＷ２は８つ重ねになっており、２部の新聞Ｎが天地を逆にして横に繋がった状態である。
【００３０】
その後、裁断されたウェブＷ１及びＷ２は搬送ベルト１９によりチョッパ折機６に送られ、枚葉紙折工程Ｓ１４０においてチョッパブレード１２及び折込ローラー１３により、図８に示すように細線糊８及び９の２条の線のちょうど中間の線で２つ折りにされる。図９は枚葉紙折工程Ｓ１４０終了時のウェブＷ１及びＷ２の状態を示した概略図である。図９において、手前側が最終的に１部目の新聞Ｎ１となり、奥側が最終的に２部目の新聞Ｎ２となる。１部目の新聞Ｎ１は図３及び図４の印刷画面のうち甲の字が付された面で構成され、２部目の新聞Ｎ２は図３及び図４の印刷画面のうち乙の字が付された面で構成される。また、１部目の新聞Ｎ１と２部目の新聞Ｎ２は縦に２つ折になっている。
【００３１】
最後に、チョッパ折機６により折られたウェブＷ１及びＷ２は搬送ベルト１９でロータリートリマー７に送られ、図２及び図１０に示すように切断工程Ｓ１５０において重なったウェブＷ１及びＷ２の縦両端が同時に切り落とされる。ここで、図１１は図１０のＥ‐Ｅ線における断面図である。図１１に示すように、１部目の新聞Ｎ１の左側縦辺は袋とじになっており、１部目の新聞Ｎ１と２部目の新聞Ｎ２は新聞の右側縦辺で繋がっている。また、上から４つのウェブは１部目の新聞Ｎ１の新聞紙面第１面〜第８面の上半分であり、その下の４つのウェブは１部目の新聞Ｎ１の新聞紙面第１面〜第８面の下半分である。同様に、下８つのウェブは２部目の新聞Ｎ２の新聞紙面の上半分及び下半分である。図９に示すように、それぞれの新聞の上半分と下半分は手前側（図１０におけるウェブの下の辺）で繋がっている。
【００３２】
切断工程Ｓ１５０における切り落としの位置は、図１０に示すように印刷画面の余白であればよいが、ウェブＷ１及びＷ２の糊付されている側の端は、細線糊８、９により接着された位置よりも端側を切る必要がある。なお、細線糊８、９の上ではなく、細線糊８、９とウェブ端との間の空白部を切るようにすると、ロータリートリマー７の刃に細線糊が付着せず好適である。この切断工程Ｓ１５０により、１部目の新聞Ｎ１と２部目の新聞Ｎ２が切り離されると同時に、１部目の新聞Ｎ１の袋とじの部分が切り落とされる。なお、この工程における切り落としは同時に行っても良いし、左辺と右辺の２回に分けて行っても良い。
【００３３】
全工程が終了した時点で、新聞Ｎは縦に２つ折りにされ、２部が重なった状態となっている。図２に示すように新聞Ｎを縦に開くと、第１面から見た右側縦辺において４枚の紙が接着された８ページの新聞Ｎとなる。
【００３４】
実施例で製作された新聞Ｎの紙面一面の大きさは縦５４６ｍｍ、横１９４ｍｍであり、通常の新聞の横辺を略半分にした大きさである。この新聞Ｎと、紙面１面の面積が通常の新聞の略半分であり、紙面の縦辺の長さが通常の新聞の横辺の長さと等しいタブロイド判新聞（縦４０６ｍｍ、横２７３ｍｍ）との大きさを図１３において比較する。図１３は、人間Ｍが新聞を両手に持ち、立てて読んでいる姿を上方から見た概略図である。（Ａ）は実施例で製作された新聞Ｎを、（Ｂ）はタブロイド判新聞を表す。
【００３５】
新聞を両手に持ち、立てて読む際、左右の手に持ったそれぞれの新聞紙面のなす角が一定であると仮定すると、新聞が占める床面積は両手及び新聞の背がなす三角形で表すことができ、床面積の比は新聞の横辺の比の２乗で表される。よって、（Ａ）と（Ｂ）それぞれの場合に新聞が占める床面積の比は、（Ａ）：（Ｂ）＝（１９４）２：（２７３）２＝３７６３６：７４５２９となり、（Ａ）は（Ｂ）の約０．５倍の床面積で新聞が読める計算となる。よって、実施例で製作された新聞Ｎは、タブロイド判新聞と比較しても狭いスペースで読むことが容易である。
【００３６】
また、印刷機及びウェブを４つ使用し、両面に印刷したウェブを２つずつウェブ両端縁から略４分の１内側の位置で貼り合せたものを前記実施例と同様の工程で処理することにより、１６ページの新聞を同時に２部製作することができる。
【００３７】
本実施形態で示した新聞の製作方法及び製作装置は、本発明に係る方法及び装置の１態様に過ぎず、本発明の趣旨を逸脱しない範囲で適宜設計変更できることは勿論である。
【産業上の利用可能性】
【００３８】
本発明に係る印刷物製作方法及び装置は、例えば新聞の印刷の他、広告誌等の冊子状印刷物の製作にも好適である。
【符号の説明】
【００３９】
１  実施例における印刷物製作装置
２  第１糊付部（グルーガン）
３  第１折部（三角板）
４  第２糊付部（グルーガン）
５  裁断折部（折機）
６  枚葉紙折部（チョッパ折機）
７  切断部（ロータリートリマー）
８  細線糊
９  細線糊
Ｓ１００  第１糊付工程
Ｓ１１０  第１折工程
Ｓ１２０  第２糊付工程
Ｓ１３０  裁断折工程
Ｓ１４０  枚葉紙折工程
Ｓ１５０  切断工程
【図１】
2014227274.tif 000003
【図２】
2014227274.tif 000004
【図３】
2014227274.tif 000005
【図４】
2014227274.tif 000006
【図５】
2014227274.tif 000007
【図６】
2014227274.tif 000008
【図７】
2014227274.tif 000009
【図８】
2014227274.tif 000010
【図９】
2014227274.tif 000011
【図１０】
2014227274.tif 000012
【図１１】
2014227274.tif 000013
【図１２】
2014227274.tif 000014
【図１３】
2014227274.tif 000015